(57)【特許請求の範囲】
【請求項１】
弁ハウジング（５）に固定される弁座部材（６，６′）に、弁ハウジング（５）に設けられた入口通路（２０）に通じる弁孔（１４，１４′）と、該弁孔（１４，１４′）を中央部に臨ませた弁座（７）とが設けられ、前記弁座（７）に着座可能な球状の弁体（８）を収納して該弁体（８）の開閉作動をガイドするガイド筒（９）が前記弁座部材（６，６′）に連設され、該ガイド筒（９）には前記弁体（８）を弁座（７）に着座せしめる方向に付勢する弁ばね（１０）が収容され、弁ハウジング（５）に設けられた出口通路（２２）に通じて前記ガイド筒（９）および弁ハウジング（５）間に形成される出口室（２１）に通じる複数の連通孔（２３）が、前記弁体（８）に対応する部分で前記ガイド筒（９）の側壁に設けられるチェック弁において、
前記弁孔（１４，１４′）には、開弁時に前記弁体（８）を前記弁ばね（１０）との間に挟持して該弁体（８）の振動を防止するロッド（２５，２８）が摺動可能に嵌合され、  該ロッド（２５，２８）の外面の周方向に間隔をあけた複数箇所で該ロッド（２５，２８）の外面および前記弁孔（１４，１４′）の内面間に流体の流通を許容する流通路（２６，２９）が形成されることを特徴とするチェック弁。
【請求項２】
前記ロッド（２８）は、前記弁孔（１４′）に摺動可能に嵌合されるとともに該弁孔（１４′）の内面との間に複数の前記流通路（２９）を形成する摺動部（２８ａ）と、該摺動部（２８ａ）の前記弁体（８）とは反対側に一体に連設されて前記摺動部（２８ａ）から離反するにつれて小径となる円錐台部（２８ｂ）とから成ることを特徴とする請求項１記載のチェック弁。
【請求項３】
前記弁体（８）と別体である前記ロッド（２５，２８）の両端面のうち少なくとも一端面中央部には、前記弁体（８）の一部を収容して該弁体（８）に接触し得るすり鉢状の凹部（２７）が形成されることを特徴とする請求項１または２記載のチェック弁。
【発明の詳細な説明】
【０００１】
【発明の属する技術分野】
本発明は、弁孔および該弁孔を中央部に臨ませた弁座を有して弁ハウジングに固定される弁座部材に、弁座に着座する方向にばね付勢された球状の弁体を収納して該弁体の開閉作動をガイドするガイド筒が連設され、ガイド筒および弁ハウジング間に形成される出口室に通じる複数の連通孔が弁体に対応する部分でガイド筒の側壁に設けられるチェック弁に関する。
【０００２】
【従来の技術】
従来、かかるチェック弁は、たとえば特開平９−２０２１８号公報により既に知られている。
【０００３】
【発明が解決しようとする課題】
ところで、弁体が弁座から離座した開弁時に、弁体およびガイド筒間の間隙を流通して弁体の背後に回り込むように流体がガイド筒内を流れるチェック弁では、弁体の背後で流体の流れに乱れが生じることに起因して弁体が振動し、その弁体の振動に伴って生じる液圧ハンチングによる異音が発生する。
【０００４】
そこで上記特開平９−２０２１８号公報で開示されたチェック弁では、ガイド筒の側壁の弁体に対応する部分に複数の連通孔が設けられており、弁体の背後で流体の乱れが生じることを防止するために、開弁時に流体の大部分が弁体の背後に流通することを避けて該弁体の側方から出口室側に流れるようにしている。
【０００５】
しかるに、弁体の側方でガイド筒に設けられる連通孔だけでは流体の流通抵抗が増大するので、弁体の背後側でもガイド筒に連通孔を設けざるを得ない。したがって弁体の背後での流体の乱れを完全に解消することは難しく、上記公報で開示されたチェック弁でも弁体の振動による異音の発生を確実に防止することは困難であった。
【０００６】
本発明は、かかる事情に鑑みてなされたものであり、弁体の振動による異音の発生を確実に防止し得るようにしたチェック弁を提供することを目的とする。
【０００７】
【課題を解決するための手段】
上記目的を達成するために、請求項１記載の発明は、弁ハウジングに固定される弁座部材に、弁ハウジングに設けられた入口通路に通じる弁孔と、該弁孔を中央部に臨ませた弁座とが設けられ、前記弁座に着座可能な球状の弁体を収納して該弁体の開閉作動をガイドするガイド筒が前記弁座部材に連設され、該ガイド筒には前記弁体を弁座に着座せしめる方向に付勢する弁ばねが収容され、弁ハウジングに設けられた出口通路に通じて前記ガイド筒および弁ハウジング間に形成される出口室に通じる複数の連通孔が、前記弁体に対応する部分で前記ガイド筒の側壁に設けられるチェック弁において、前記弁孔には、前記弁体の開弁時に前記弁体を前記弁ばねとの間に挟持して該弁体の振動を防止するロッドが摺動可能に嵌合され、該ロッドの外面の周方向に間隔をあけた複数箇所で該ロッドの外面および前記弁孔の内面間に流体の流通を許容する流通路が形成されることを特徴とする。
【０００８】
このような構成によれば、弁体が弁座から離座した開弁時には、ガイド筒の側壁の弁体に対応する部分に設けられた複数の連通孔から出口室に大部分の流体を流通せしめ、弁体の背後で流体の乱れが生じることを極力避けることができる。しかも弁孔に摺動可能に嵌合されているロッドの一端が弁体に連接されており、弁体は弁ばねおよびロッド間に挟持された状態となっているので、弁座部材で支持されるロッドにより弁体の振動が規制され、弁体の背後に回り込んだ一部の流体による乱れが生じても弁体の振動を確実に防止することが可能であり、したがって異音の発生を確実に防止することができる。
【０００９】
また請求項２記載の発明は、上記請求項１記載の発明の構成に加えて、前記ロッドは、前記弁孔に摺動可能に嵌合されるとともに該弁孔の内面との間に複数の前記流通路を形成する摺動部と、該摺動部の前記弁体とは反対側に一体に連設されて前記摺動部から離反するにつれて小径となる円錐台部とから成ることを特徴とし、かかる構成によれば、弁孔の内面にロッドが摺接する部分を極力短くして、弁孔およびロッド間を流通する流体の流通抵抗を極力小さくすることができ、しかも円錐台部により流体を円滑に案内するようにして流体の乱れが生じることを防止することができる。
【００１０】
さらに請求項３記載の発明は、上記請求項１または２記載の発明の構成に加えて、前記弁体と別体である前記ロッドの両端面のうち少なくとも一端面中央部には、前記弁体の一部を収容して該弁体に接触し得るすり鉢状の凹部が形成されることを特徴とし、かかる構成によれば、ロッドをより確実に弁体に連接せしめて弁体の振動をより確実に防止することができる。
【００１１】
【発明の実施の形態】
以下、本発明の実施の形態を、添付の図面に示した本発明の実施例に基づいて説明する。
【００１２】
図１〜図３は本発明の第１実施例を示すものであり、図１はチェック弁の縦断面図、図２は図１の２−２線断面図、図３は開弁状態での図１の要部拡大図である。
【００１３】
先ず図１において、このチェック弁は、たとえば車両用ブレーキ装置に用いられるものであり、弁ハウジング５と、弁ハウジング５に固定される弁座部材６と、弁座部材６に設けられる弁座７に着座可能な球状の弁体８と、該弁体８を収納して弁体８の開閉作動をガイドするガイド筒９と、弁体８を前記弁座７への着座方向に付勢するばね力を発揮してガイド筒９に収容される弁ばね１０とを備える。
【００１４】
弁ハウジング５には、一端を閉じた小径孔１１と、該小径孔１１よりも大径に形成されて小径孔１１の他端に一端を同軸に連ならせた中径孔１２と、該中径孔１２よりも大径に形成されて中径孔１２の他端に一端を同軸に連ならせるとともに他端を弁ハウジング５の外面に開口させた大径孔１３とが設けられる。
【００１５】
弁座部材６は、大径筒部６ａの一端に小径筒部６ｂが同軸にかつ一体に連設されて成るものであり、小径筒部６ｂを小径孔１１内に同軸に突入させるようにして大径筒部６ａを中径孔１２に圧入することで弁ハウジング５に固定される。
【００１６】
弁座７は、弁座部材６の一端面すなわち小径筒部６ｂの一端中央部に設けられるものであり、球状である弁体８を着座せしめるべくテーパ状に形成される。また小径筒部６ｂ内には、前記弁座７の中央部に一端開口部を臨ませる弁孔１４が同軸に設けられる。
【００１７】
弁座部材６の大径筒部６ａ内にはフィルタ１５が固定配置される。一方、大径孔１３には、該大径孔１３の内面の弾発接触する環状のシール部材１６を外周に備える閉塞部材１７が嵌合され、該閉塞部材１７の大径孔１３からの離脱を阻止すべく閉塞部材１７に係合する止め輪１８が大径孔１３に嵌着される。前記弁座部材６およびフィルタ１５と、閉塞部材１７との間で弁ハウジング５内には入口室１９が形成され、弁ハウジング５には入口室１９に通じる入口通路２０が設けられる。
【００１８】
ガイド筒９は、弁座部材６とは反対側の端部に端壁９ａを有して円筒状に形成されており、該ガイド筒９の開口端を弁座部材６の小径筒部６ｂにかしめ結合することで弁座部材６に連設される。このガイド筒９内に弁体８が収納され、ガイド筒９の端壁９ａおよび弁体８間に弁ばね１０が設けられる。
【００１９】
ガイド筒９および弁ハウジング５間には出口室２１が形成されており、この出口室２１に通じる出口通路２２が弁ハウジング５に設けられる。また弁体８に対応する部分でガイド筒９の側壁にはガイド筒９内を出口室２１に通じさせる複数の連通孔２３…が設けられ、ガイド筒９の端壁９ａには、ガイド筒９内を出口室２１に通じさせる連通孔２４が設けられる。
【００２０】
本発明に従えば、弁座部材６の弁孔１４には、弁座７から弁体８が離座した開弁時すなわちブレーキ液等の流体の流通時には一端を弁体８に当接させるロッド２５が摺動可能に嵌合される。
【００２１】
図２を併せて参照して、中実の棒状に形成されるロッド２５の外面において周方向に間隔をあけた複数箇所たとえば３箇所には、ロッド２５の軸線と平行な平坦面２５ａ，２５ａ…が設けられており、それらの平坦面２５ａ，２５ａ…に対応する部分でロッド２５の外面および弁孔１４の内面間には、ブレーキ液等の流体の流通を許容する流通路２６，２６…が形成される。
【００２２】
またロッド２５の少なくとも一端面、この実施例では両端面の中央部には、弁体８の一部を収容して該弁体８に接触し得るすり鉢状の凹部２７，２７が形成される。すなわちロッド２５は、その軸方向に沿う両端のいずれを弁体８側に配置して弁孔１４に嵌合されてもよいものであり、凹部２７が弁体８とは反対側に配置されることを防止するために、凹部２７，２７がロッド２５の両端面中央部に形成される。
【００２３】
次にこの第１実施例の作用について説明すると、図３で示すように、弁孔１４の内面およびロッド２５の外面間の流通路２６，２６…側から弁体８に作用する流体圧による開弁方向の力が、弁ばね１０による閉弁方向のばね力に打勝って弁体８が弁座７から離座した開弁状態では、ガイド筒９の側壁の弁体８に対応する部分に設けられた複数の連通孔２３，２３…から出口室２１に大部分の流体を流通させることができ、連通孔２４側に流れる流体量を減少せしめることにより、弁体８の背後で流体の乱れが生じることを極力避けることができる。
【００２４】
しかも弁孔１４に摺動可能に嵌合されているロッド２５が、弁孔１４を流れる流体圧により該ロッド２５の一端を弁体８に当接せしめるように付勢されることになり、弁体８は弁ばね１０およびロッド２５間に挟持された状態となる。これにより弁座部材６で支持されるロッド２５により弁体８の振動が規制されることになり、弁体８の背後に回り込んだ一部の流体による乱れが生じても弁体８の振動を確実に防止することが可能であり、したがって異音の発生を確実に防止することができる。
【００２５】
またロッド２５の両端面中央部にはすり鉢状の凹部２７，２７が形成されており、凹部２７，２７の一方は、弁体８の一部を収容して該弁体８に接触することになるので、ロッド２５をより確実に弁体８に連接せしめて弁体８の振動をより確実に防止することができる。
【００２６】
図４は本発明の第２実施例を示すものであり、上記第１実施例に対応する部分には同一の参照符号を付す。
【００２７】
弁座部材６′は、大径筒部６ａの一端に小径筒部６ｂ′が同軸にかつ一体に連設されて成るものであり、小径筒部６ｂ′の一端中央部に弁座７が設けられ、また小径筒部６ｂ′内には、弁座７の中央部に一端開口部を臨ませる弁孔１４′が同軸に設けられる。
【００２８】
前記弁孔１４′には、弁座７から弁体８が離座した開弁時すなわちブレーキ液等の流体の流通時には一端を弁体８に当接させるロッド２８が摺動可能に嵌合される。
【００２９】
ロッド２８は、弁孔１４′に摺動可能に嵌合される摺動部２８ａと、該摺動部２８ａの弁体８とは反対側に一体に連設されて摺動部２８ａから離反するにつれて小径となる円錐台部２８ｂとから成り、摺動部２８ａの外面および弁孔１４′の内面間には、摺動部２８ａの外面の周方向複数箇所に平坦面を設けることにより、複数の流通路２９…が形成される。またロッド２８の一端面すなわち摺動部２８ａの一端面中央部には、弁体８の一部を収容して該弁体８に接触し得るすり鉢状の凹部２７が形成される。
【００３０】
弁孔１４′は、弁体８側に臨む環状の段部３０を中間部に有して段付きに形成されており、段部３０は、その内周縁にロッド２８における円錐台部２８ｂの中間部を接触、係合させることで、弁孔１４′へのロッド２８の誤組防止を図るとともに、フィルタ１５が弁座部材６′に装着されていない状態でロッド２８を弁孔１４′に挿入したときにロッド２８が弁孔１４′から落下してしまうことを防止する働きをする。
【００３１】
この第２実施例によれば、上記第１実施例の効果を奏することができる上に、弁孔１４′の内面にロッド２８が摺接する部分を極力短くし、弁体８が弁座７から離間するにつれて流通路の断面積を大きくして、弁孔１４′およびロッド２８間を流通する流体の流通抵抗を極力小さくすることができる。
【００３２】
また流通抵抗を小さくするために摺動部２８ａよりも小径とした部分をテーパ状の円錐台部２８ｂとしたことにより、流体を円滑に案内することができ、流体の乱れが生じることを防止することができる。
【００３３】
以上、本発明の実施例を詳述したが、本発明は上記実施例に限定されるものではなく、特許請求の範囲に記載された本発明を逸脱することなく種々の設計変更を行なうことが可能である。
【００３４】
たとえば上記各実施例では、ロッド２５，２８が弁体８とは別体に形成されていたが、弁体と一体にロッドが形成されていてもよい。
【００３５】
【発明の効果】
以上のように請求項１記載の発明によれば、弁体が弁座から離座した開弁時には、ガイド筒の側壁の弁体に対応する部分に設けた複数の連通孔から出口室に大部分の流体を流通せしめるようにして、弁体の背後で流体の乱れが生じるのを極力避けることを可能にしたチェック弁において、弁孔には、開弁時に弁体を弁ばねとの間に挟持して該弁体の振動を防止するロッドが摺動可能に嵌合されるので、弁孔に摺動可能に嵌合したロッドにより弁体の振動が規制され、従って、弁体の背後に回り込んだ一部の流体による乱れが生じても弁体の振動を確実に防止することができるから、その弁体の振動による異音の発生を確実に防止することができる。また上記ロッドの外面の周方向に間隔をあけた複数箇所で該ロッドの外面および弁孔の内面間に流体の流通を許容する流通路が形成されるので、該ロッドを弁孔に嵌合させても、開弁時において弁孔内での流体の流通が許容される。
【００３６】
また請求項２記載の発明によれば、流体の乱れが生じることを防止しつつ弁孔およびロッド間を流通する流体の流通抵抗を極力小さくすることができる。
【００３７】
さらに請求項３記載の発明によれば、ロッドをより確実に弁体に連接せしめて弁体の振動をより確実に防止することができる。
【図面の簡単な説明】
【図１】第１実施例のチェック弁の縦断面図である。
【図２】図１の２−２線断面図である。
【図３】開弁状態での図１の要部拡大図である。
【図４】第２実施例のチェック弁の閉弁状態での図３に対応した断面図である。
【符号の説明】
５・・・弁ハウジング
６，６′・・・弁座部材
７・・・弁座
８・・・弁体
９・・・ガイド筒
９ａ・・・端壁
１０・・・弁ばね
１４，１４′・・・弁孔
２０・・・入口通路
２１・・・出口室
２２・・・出口通路
２３・・・連通孔
２５，２８・・・ロッド
２６，２９・・・流通路
２７・・・凹部
２８ａ・・・摺動部
２８ｂ・・・円錐台部
【図１】
0003577432.tif 000002
【図２】
0003577432.tif 000003
【図３】
0003577432.tif 000004
【図４】
0003577432.tif 000005